(57)【要約】【課題】ヒートポンプとガスファーネスのいずれかを用いて暖房負荷の処理を行い、運転効率を高めることが可能な空調システムを提供する。【解決手段】室内を暖房することが可能な空調システム１００であって、ヒートポンプユニット６、ガスファーネスユニット５０、ファンユニット４０、および、メインコントローラ２０を備えている。メインコントローラ２０は、設定温度に達するように、ヒートポンプ暖房運転とガスファーネス暖房運転のいずれか一方を選んで運転制御を行う。メインコントローラ２０は、設定温度に達して運転停止になった後に運転再開条件を満たして運転を再開させる際に、運転履歴情報に基づいてヒートポンプ暖房運転とガスファーネス暖房運転のいずれを行うかを決める。【選択図】図７
2015145765.tif 000002
【特許請求の範囲】
【請求項１】
室内を暖房することが可能な空調システム（１００）であって、
冷媒の放熱器（６１）と能力制御が可能な圧縮機（７１）を含むヒートポンプ（６）と、
燃焼による加熱器（５８）を含むガスファーネス（５０）と、
前記放熱器（６１）および前記加熱器（５８）を通った空気を室内に送風する送風機（４１）と、
室内の設定温度条件を満たすように、前記ヒートポンプと前記ガスファーネスのいずれか一方を選んで運転制御を行う制御部（２０）と、
を備え、
前記制御部は、
前記設定温度条件を満たした場合に、前記ヒートポンプと前記ガスファーネスの両方の運転が停止した状態になるように制御を行い、その後に運転再開条件を満たした場合に、運転履歴情報に基づいて前記ヒートポンプと前記ガスファーネスのいずれか一方を選んで運転を再開させる、
空調システム（１００）。
【請求項２】
前記運転履歴情報には、直近の前記設定温度条件を満たした際に運転が行われていた前記ヒートポンプと前記ガスファーネスのいずれか一方の種類を特定する直近種類情報が含まれている、
請求項１に記載の空調システム。
【請求項３】
前記運転履歴情報には、前記設定温度条件を満たした場合とその後に前記運転再開条件を満たした場合の運転に関する情報であって直近を含む連続した過去複数回分の情報である推移情報が含まれている、
請求項１または２に記載の空調システム。
【請求項４】
前記運転履歴情報には、直近の前記設定温度条件を満たした時点において運転が行われていた前記ヒートポンプと前記ガスファーネスのいずれか一方の種類を特定する情報を有することなく、少なくとも直近の前記設定温度条件を満たした時点よりも古い時点において運転が行われていた前記ヒートポンプと前記ガスファーネスのいずれか一方の種類を特定する情報を有している周期情報が含まれている、
請求項１から３のいずれか１項に記載の空調システム。
【請求項５】
暖房負荷を前記ヒートポンプだけで処理可能な場合には、前記ガスファーネスを運転させることなく前記ヒートポンプのみを運転させ、
暖房負荷を前記ヒートポンプだけで処理できない場合には、前記ヒートポンプを運転させることなく前記ガスファーネスのみを運転させように構成されている、
請求項１から４のいずれか１項に記載の空調システム。
【発明の詳細な説明】
【技術分野】
【０００１】
本発明は、室内を暖房することが可能な空調システムに関する。
【背景技術】
【０００２】
従来より、ヒートポンプとガスファーネスの２つを熱源機として備え、室内の暖房を行う空調システムが存在している。
【０００３】
例えば、特許文献１（特開昭６４−５４１６０号公報）では、外気温度が比較的低い場合には、ガスファーネスを運転させて暖房能力の確保を行い、外気温度が比較的高い場合には、ヒートポンプを運転させて運転効率を高める、という制御を行うことを提案している。
【発明の開示】
【発明が解決しようとする課題】
【０００４】
しかし、上述のような特許文献１に示された例では、外気温度が比較的低い場合には、常にガスファーネスを運転させている（例えば、上記特許文献１の図５におけるステップ４０からステップ４１参照）。
【０００５】
このため、特許文献１に記載の例では、外気温度が比較的低く且つ暖房負荷が大きな場合だけでなく、外気温度が比較的低いが暖房負荷は小さいような場合であっても、ガスファーネスが運転されることになる。
【０００６】
この外気温度が比較的低いが暖房負荷は小さいような場合にもガスファーネスを運転させてしまうと、ヒートポンプを用いた効率的な運転を行うことが可能な機会を確保することができず、頻繁に設定温度に到達してしまい、ガスファーネスの運転停止の切り換え頻度をいたずらに増大させてしまうことになる。
【０００７】
本発明は上述した点に鑑みてなされたものであり、本発明の課題は、ヒートポンプとガスファーネスのいずれかを用いて暖房負荷の処理を行い、運転効率を高めることが可能な空調システムを提供することにある。
【課題を解決するための手段】
【０００８】
第１観点に係る空調システムは、室内を暖房することが可能な空調システムであって、ヒートポンプ、ガスファーネス、送風機、および、制御部を備えている。ヒートポンプは、冷媒の放熱器、および、能力制御が可能な圧縮機を含んでいる。ガスファーネスは、燃焼による加熱器を含んでいる。送風機は、放熱器および加熱器を通った空気を室内に送風する。制御部は、設定温度条件を満たした場合にヒートポンプとガスファーネスの両方の運転が停止した状態になるように制御を行った後、運転再開条件を満たした場合に運転履歴情報に基づいてヒートポンプとガスファーネスのいずれか一方を選んで運転を再開させる。
【０００９】
この空調システムでは、設定温度条件を満たして運転を中止する状態（サーモオフ時の状態）と、運転再開条件を満たして運転を再開させる状態（サーモオン時の状態）とを繰り返しながら設定温度を維持しようとする空調システムにおいて、サーモオン時に運転させる機器を、少ないエネルギーで暖房負荷を処理することが可能になるように履歴情報に基づいて定めることで、成績係数（ＣＯＰ）を向上させることが可能になる。
【００１０】
第２観点に係る空調システムは、第１観点に係る空調システムであって、運転履歴情報には、直近種類情報が含まれている。直近種類情報は、直近の設定温度条件を満たした際に運転が行われていたヒートポンプとガスファーネスのいずれか一方の種類を特定する情報である。
【００１１】
この空調システムでは、直近の設定温度条件を満たした際に運転が行われていたヒートポンプとガスファーネスのいずれか一方を特定する情報に基づいて、運転再開条件を満たした際の負荷を想定することができる。この想定された負荷により、少ないエネルギーで暖房負荷を処理することが可能になるように運転再開時に運転させる機器を選択することが可能になる。
【００１２】
第３観点に係る空調システムは、第１観点または第２観点に係る空調システムであって、運転履歴情報には、推移情報が含まれている。推移情報は、設定温度条件を満たした場合とその後に運転再開条件を満たした場合の運転に関する情報であって、直近を含む連続した過去複数回分の情報である。
【００１３】
この空調システムでは、運転再開条件を満たした際の負荷を、直近を含む連続した複数回分の運転に関する情報である推移情報に基づいて予測することが可能になる。このため、推移情報に基づいて予測された負荷に応じるように運転再開時に運転させる機器を選択することが可能になる。
【００１４】
第４観点に係る空調システムは、第１観点から第３観点のいずれかに係る空調システムであって、運転履歴情報には、周期情報が含まれている。周期情報は、直近の設定温度条件を満たした時点において運転が行われていたヒートポンプとガスファーネスのいずれか一方の種類を特定する情報を有していない。周期情報は、少なくとも直近の設定温度条件を満たした時点よりも古い時点において運転が行われていたヒートポンプとガスファーネスのいずれか一方の種類を特定する情報を有している。
【００１５】
この空調システムでは、運転再開条件を満たした際の負荷を、直近の情報以外の古い情報から構成された周期情報に基づいて予測することが可能になる。このため、周期情報に基づいて予測された負荷に応じるように運転再開時に運転させる機器を選択することが可能になる。
【００１６】
第５観点に係る空調システムは、第１観点から第４観点のいずれかに係る空調システムであって、暖房負荷をヒートポンプだけで処理可能な場合には、ガスファーネスを運転させることなくヒートポンプのみを運転させ、暖房負荷をヒートポンプだけで処理できない場合には、ヒートポンプを運転させることなくガスファーネスのみを運転させように構成されている。
【００１７】
この空調システムでは、外気温度が高めの場合にはヒートポンプを優先的に用いることで運転効率を高めることが可能になる。
【発明の効果】
【００１８】
第１観点に係る空調システムでは、成績係数（ＣＯＰ）を向上させることが可能になる。
【００１９】
第２観点に係る空調システムでは、想定される運転再開条件を満たした際の負荷に基づいて運転再開時に運転させる機器を選択することが可能になる。
【００２０】
第３観点に係る空調システムでは、推移情報に基づいて予測された負荷に応じるように運転再開時に運転させる機器を選択することが可能になる。
【００２１】
第４観点に係る空調システムでは、周期情報に基づいて予測された負荷に応じるように運転再開時に運転させる機器を選択することが可能になる。
【００２２】
第５観点に係る空調システムでは、外気温度が高めの場合にはヒートポンプを優先的に用いることで運転効率を高めることが可能になる。
【図面の簡単な説明】
【００２３】
【図１】本実施形態に係る空気システムの建物への設置例を示す概略図である。
【図２】本実施形態に係る空調システムの概略構成図である。
【図３】本実施形態に係る空調システムのブロック構成図である。
【図４】本実施形態に係る空調システムを用いて、起動時の冷房運転を行う場合のフローチャートである。
【図５】本実施形態に係る空調システムを用いて、運転再開時の冷房運転を行う場合のフローチャートである。
【図６】本実施形態に係る空調システムを用いて、起動時の暖房運転を行う場合のフローチャートである。
【図７】本実施形態に係る空調システムを用いて、運転再開時の暖房運転を行う場合のフローチャートである。
【発明を実施するための形態】
【００２４】
以下、本発明に係る冷凍装置の室外ユニットについて、図面を用いて詳細に説明する。
【００２５】
（１）空調システム１００の設置例
図１は、本実施形態に係る空調システム１００が建物１に対して設置された例を示す概略図である。図２は、空調システム１００の回路等の概略構成図である。図３は、空調システム１００のブロック構成図である。
【００２６】
この空調システム１００が設置された例の建物１は、１階の第１部屋２ａおよび第２部屋２ｂ、２階の第３部屋２ｃおよび第４部屋２ｄ、地下室２ｅ、天井裏２ｆを有する住宅である。
【００２７】
このうち、地下室２ｅには、後述するヒートポンプガスファーネス一体ユニット３０が設置されている。また、建物１の屋外には、後述するヒートポンプユニット６の一部である室外ユニット７０が設置されている。
【００２８】
地下室２ｅのヒートポンプガスファーネス一体ユニット３０で作られた調和空気は、ヒートポンプガスファーネス一体ユニット３０の吹出口側から延びるように設けられている給気ダクト３１を介して、第１部屋２ａ、第２部屋２ｂ、第３部屋２ｃ、第４部屋２ｄにそれぞれ供給される。具体的には、給気ダクト３１は、ヒートポンプガスファーネス一体ユニット３０の吹出口側とは反対側が複数に分岐するように構成されており、分岐部分の一部である第１吹出分岐部分３１ａが第１部屋２ａ内に位置しており、分岐部分の一部である第２吹出分岐部分３１ｂが第２部屋２ｂ内に位置しており、分岐部分の一部である第３吹出分岐部分３１ｃが第３部屋２ｃ内に位置しており、分岐部分の一部である第４吹出分岐部分３１ｄが第４部屋２ｄ内に位置している。
【００２９】
また、ヒートポンプガスファーネス一体ユニット３０が調和する対象となる空気は、還気ダクト３９を介して、各第１部屋２ａ、第２部屋２ｂ、第３部屋２ｃ、第４部屋２ｄから集められる。具体的には、還気ダクト３９は、ヒートポンプガスファーネス一体ユニット３０の吸込口側とは反対側が複数に分岐するように構成されており、分岐部分の一部である第１吸込分岐部分３９ａが第１部屋２ａ内に位置しており、分岐部分の一部である第２吸込分岐部分３９ｂが第２部屋２ｂ内に位置しており、分岐部分の一部である第３吸込分岐部分３９ｃが第３部屋２ｃ内に位置しており、分岐部分の一部である第４吸込分岐部分３９ｄが第４部屋２ｄ内に位置している。
【００３０】
（２）空調システム１００の概略構成
空調システム１００は、温度調節された空気を作り出して、空調対象空間に対して供給するためのシステムであり、ファンユニット４０、ヒートポンプユニット６、ガスファーネスユニット５０、コントロールインターフェイス１０、室内温度センサ６２、メインコントローラ２０、上述の給気ダクト３１、還気ダクト３９等を有している。
【００３１】
このうち、ヒートポンプユニット６は、液冷媒連絡配管７６およびガス冷媒連絡配管７７を介して互いに接続される利用ユニット６０と室外ユニット７０を有して構成されている。
【００３２】
ファンユニット４０と、ガスファーネスユニット５０と、ヒートポンプユニット６のうちの利用ユニット６０は、図２に示すように、一体化されることでヒートポンプガスファーネス一体ユニット３０を構成している。
【００３３】
ヒートポンプガスファーネス一体ユニット３０は、筐体３０ａを有している。筐体３０ａの内部では、ファンユニット４０とヒートポンプユニット６のうちの利用ユニット６０とガスファーネスユニット５０が直線状に並ぶように収容されている。本実施形態では、ファンユニット４０が最も下に配置されており、ガスファーネスユニット５０と利用ユニット６０がこの順でファンユニット４０の上方に並んで配置されている。
【００３４】
コントロールインターフェイス１０は、特に限定されないが、本実施形態では建物１の第１部屋２ａに設けられている。コントロールインターフェイス１０は、ユーザからの設定温度等の運転設定情報の入力を受け付ける。さらに、コントロールインターフェイス１０は、空調システム１００の運転開始および運転停止の指示を、ユーザから受け付ける。また、コントロールインターフェイス１０は、運転状態の情報を表示するための表示部（図示せず）を有している。コントロールインターフェイス１０は、地下室２ｅに配置されたメインコントローラ２０と通信可能に接続されている。
【００３５】
室内温度センサ６２は、特に限定されないが、本実施形態では建物１の第１部屋２ａに配置され、第１部屋２ａの温度（第１吹出分岐部分３１ａや第１吸込分岐部分３９ａから離れた場所での温度）を検知している。室内温度センサ６２は、地下室２ｅに配置されたメインコントローラ２０と接続されており、メインコントローラ２０に対して現在の第１部屋２ａの温度を知らせることが可能になっている。
【００３６】
メインコントローラ２０は、コントロールインターフェイス１０を介してユーザから受け付けた情報と、室内温度センサ６２が検知した室内温度と、室外ユニット７０の室外温度センサ７８が検知した室外温度等に基づいて、ヒートポンプユニット６、ガスファーネスユニット５０、ファンユニット４０等を制御する。このメインコントローラ２０は、各種の所定の基準値が格納された基準値メモリ２０ａ、運転履歴に関する情報が格納された履歴メモリ２０ｂ、図示しないＣＰＵ等を有している。基準値メモリ２０ａには、後述する高基準温度Ｔ１、低基準温度Ｔ２、暖房負荷基準値、デューティー基準値等が予め格納されており、コントロールインターフェイス１０を介してユーザから受け付けた設定温度の情報も格納されている。また、基準値メモリ２０ａには、冷房運転時の運転再開条件の温度（設定温度に所定値を加えた温度）、および、暖房運転時の運転再開条件の温度（設定温度から所定値を減じた温度、冷房運転の所定値と異なってもよい）も格納される。履歴メモリ２０ｂには、後述する直近種類情報、推移情報（サーモオン時間）、ガスファーネス暖房運転時のデューティー比等が、その都度格納される。
【００３７】
以下、ヒートポンプユニット６、ガスファーネスユニット５０、ファンユニット４０等について、それぞれ説明する。
【００３８】
（３）ヒートポンプユニット６
ヒートポンプユニット６は、図２に示すように、利用ユニット６０、室外ユニット７０、液冷媒連絡配管７６およびガス冷媒連絡配管７７を有して構成された蒸気圧縮式の空気調和装置である。本実施形態のヒートポンプユニット６は、冷房運転と暖房運転の両方を切り換えによって実行可能に構成されている。
【００３９】
利用ユニット６０と室外ユニット７０は、液冷媒連絡配管７６を介して接続された部分と、ガス冷媒連絡配管７７を介して接続された部分を有している。
【００４０】
利用ユニット６０は、利用側熱交換器６１を有している。利用側熱交換器６１は、内部を通過する冷媒と、外部を通過する空気との間で熱交換を行わせる。この利用側熱交換器６１は、ヒートポンプガスファーネス一体ユニット３０の筐体３０ａの内部の鉛直方向に延びる通路を埋めるように配置されている。利用側熱交換器６１内の一端には、液冷媒連絡配管７６が接続されており、他端にはガス冷媒連絡配管７７が接続されている。
【００４１】
室外ユニット７０は、建物１の屋外に設置されており、圧縮機７１、四路切換弁７２、室外熱交換器７３、室外ファン７４、電動膨張弁７５、室外温度センサ７８、および、室外ユニットコントローラ７９を有している。圧縮機７１は、電気エネルギーを使って駆動されるインバータ機を有している。圧縮機７１は、このインバータ機の駆動周波数を変化させることで容量を変えることができる。室外ユニットコントローラ７９は、この圧縮機７１と接続され、インバータ機の駆動周波数を制御するインバータ制御部７１ａを有している。室外熱交換器７３は、室外ファン７４によって供給される屋外空気と、内部を流れる冷媒との間で熱交換を行わせる。室外ファン７４は、風量を制御するための室外ファンモータ７４ａを有している。この室外ファンモータ７４ａは、室外ユニットコントローラ７９によって制御される。電動膨張弁７５は、弁開度を変化させることで通過する冷媒量を変えることができる。圧縮機７１、四路切換弁７２、室外熱交換器７３、電動膨張弁７５、利用側熱交換器６１は、互いに接続されることで、内部を冷媒が循環する冷媒回路６ａを構成している。四路切換弁７２は、接続状態を切り換えることで、冷媒回路６ａにおける冷媒流れ方向を暖房運転状態と冷房運転状態とに切り換えることができる。暖房運転状態（図２の実線で示す接続状態）では、圧縮機７１を駆動させて冷媒回路６ａ内に冷媒を循環させることにより、圧縮機７１の吐出側、四路切換弁７２、利用側熱交換器６１、電動膨張弁７５、室外熱交換器７３、四路切換弁７２、圧縮機７１の吸入側の順に冷媒を流し、利用側熱交換器６１を冷媒の放熱器として機能させつつ、室外熱交換器７３を冷媒の加熱器として機能させる。これにより、建物１の外の空気から熱を奪って建物１の中へ熱を供給することができる。冷房運転状態（図２の点線で示す接続状態）では、圧縮機７１を駆動させて冷媒回路６ａ内に冷媒を循環させることにより、圧縮機７１の吐出側、四路切換弁７２、室外熱交換器７３、電動膨張弁７５、利用側熱交換器６１、四路切換弁７２、圧縮機７１の吸入側の順に冷媒を流し、利用側熱交換器６１を冷媒の加熱器として機能させつつ、室外熱交換器７３を冷媒の放熱器として機能させる。これにより、建物１の中の空気から熱を奪って建物１の外へ熱を放出することができる。この四路切換弁７２は、室外ユニットコントローラ７９によって接続状態が切り換えられる。
【００４２】
室外温度センサ７８は、室外熱交換器７３を通過する前の屋外の空気の温度を検知する。この室外温度センサ７８で検知された温度情報は、室外ユニットコントローラ７９に伝えられる。
【００４３】
室外ユニットコントローラ７９は、メインコントローラ２０からの指令を受けて、室内温度センサ６２の検知温度および室外温度センサ７８の検知温度に基づいて、室内温度センサ６２の検知温度が設定温度に近づくように、室外ファンモータ７４ａおよび電動膨張弁７５の制御を行うとともに、インバータ制御部７１ａによって圧縮機７１の駆動周波数を制御して、冷暖房の能力を調節する。
【００４４】
なお、ヒートポンプユニット６は、外気温度が極低温の場合等のように室外熱交換器７３において冷媒を蒸発させる能力が不足する等して効率的な運転や能力を十分に発揮させる運転が困難な外気温度範囲は存在するが、外気温度が当該極低温よりも高い場合には、ガスファーネスユニット５０よりもＣＯＰ（Coefficient of Performance；成績係数やエネルギー消費効率と呼ばれる指標）が良好な運転が可能な装置である。ここで、ＣＯＰとは、加熱または冷却の能力Ｑを、その能力Ｑを得るための消費エネルギーＬで割った値である。
【００４５】
（４）ガスファーネスユニット５０
ガスファーネスユニット５０は、図２に示すように、ガスファーネスコントローラ５１、燃料調節弁５４、ファーネスファン５６、燃焼室５７、ファーネス熱交換器５８、排気管５９等を有して構成されたガス燃焼式暖房機である。
【００４６】
ガスファーネスコントローラ５１は、メインコントローラ２０と通信可能に接続されており、メインコントローラ２０からの指令に基づいて、燃料調節弁５４を通過させる燃料の量や、ファーネスファンモータ５６ａを制御する。
【００４７】
燃焼室５７には、ガスバーナ５７ａが設けられている。燃焼室５７には、燃焼ガス供給管５３を介して燃料ガスが供給され、空気供給管５５を介して空気が供給される。ここで、燃焼ガスとしては、特に限定されないが、例えば、天然ガス等が用いられる。
【００４８】
燃焼ガス供給管５３には、燃焼室５７に供給される燃焼ガスの量を調節するための燃料調節弁５４が途中に設けられている。この燃料調節弁５４の開度が開けられることで燃焼室５７に燃焼ガスが供給される。この燃料調節弁５４の弁開度も、上述したように、ガスファーネスコントローラ５１によって制御される。
【００４９】
空気供給管５５と燃焼室５７との間には、ファーネスファン５６が設けられている。このファーネスファン５６が回転駆動することによって、空気が燃焼室５７まで送られる。このファーネスファン５６は、回転数可変式のファーネスファンモータ５６ａを備えている。このファーネスファンモータ５６ａも、上述したように、ガスファーネスコントローラ５１によって制御される。
【００５０】
このようにして燃焼室５７に供給された燃焼ガスと空気とは混ざり合い、ガスバーナ５７ａによって燃焼し、高温ガスを生じさせる。この高温ガスは、ファーネス熱交換器５８に送られる。
【００５１】
ファーネス熱交換器５８は、ヒートポンプガスファーネス一体ユニット３０の筐体３０ａ内であって、利用ユニット６０の鉛直下方に配置されている。このファーネス熱交換器５８は、内部を通過する加熱ガスと、外部をヒートポンプガスファーネス一体ユニット３０の筐体３０ａを上方に向けて通過する空気と、の間で熱交換を行わせる。これにより、ファーネス熱交換器５８の外部を通過した空気は、暖められる。
【００５２】
排気管５９は、ファーネス熱交換器５８の燃焼室５７側とは反対側の端部に接続されている。排気管５９のファーネス熱交換器５８との接続部分には、排気ヘッダ５９ａが設けられている。
【００５３】
（５）ファンユニット４０
ファンユニット４０は、図２に示すように、ヒートポンプガスファーネス一体ユニット３０の筐体３０ａ内のうち、利用ユニット６０およびガスファーネスユニット５０のファーネス熱交換器５８の下方に配置され、筐体３０ａ内に下から上に向かう空気流れを生じさせる共通ファン４１を有している。
【００５４】
この共通ファン４１は、ヒートポンプガスファーネス一体ユニット３０の筐体３０ａ内の流路において、ガスファーネスユニット５０のファーネス熱交換器５８および利用ユニット６０の利用側熱交換器６１が直線状に並べられている。これにより、共通ファン４１が駆動するだけで、ガスファーネスユニット５０のファーネス熱交換器５８と利用ユニット６０の利用側熱交換器６１の両方に対して空気流れを供給することが可能になっている。すなわち、ガスファーネスユニット５０のファーネス熱交換器５８に対応したファンと、利用ユニット６０の利用側熱交換器６１に対応したファンと、を個別に設ける必要が無くなっている。
【００５５】
共通ファン４１は、回転数可変式の共通ファンモータ４１ａを備えており、ヒートポンプガスファーネス一体ユニット３０の筐体３０ａ内を通過させる空気の量を調節することが可能になっている。この共通ファンモータ４１ａは、メインコントローラ２０によって制御される。
【００５６】
（６）空調システム１００の制御
空調システム１００では、メインコントローラ２０によって、冷房運転の制御、および、暖房運転の制御が行われる。ここで、暖房運転の制御では、暖房起動時の制御と、暖房サーモオン時の制御が行われる。
【００５７】
（６−１）冷房運転の制御
空調システム１００では、冷房運転時は、ガスファーネスユニット５０の運転は停止し、ヒートポンプユニット６を四路切換弁７２が冷房運転状態に切り換えられた状態で駆動させて、ファンユニット４０の共通ファン４１を駆動させることで、第１〜第４部屋２ａ〜２ｄに対して冷風を供給する。
【００５８】
ここで、ヒートポンプユニット６の圧縮機７１、室外ファンモータ７４ａ、電動膨張弁７５および共通ファンモータ４１ａは、室内温度センサ６２の検知温度に基づいて、室内温度センサ６２の検知温度が設定温度に近づくように、メインコントローラ２０および室外ユニットコントローラ７９によって制御される。
【００５９】
なお、空調システム１００は、コントロールインターフェイス１０において、ユーザからの起動の入力を受け付けることで起動し、ユーザからの停止の入力を受け付けることで完全停止する（すなわち、室内温度センサ６２の検知温度が設定温度になっていない場合であっても、その関係に関わらず、ファンユニット４０、ヒートポンプユニット６、ガスファーネスユニット５０の全てが駆動していない状態が維持されるようにする。）。
【００６０】
以下、冷房運転の制御の起動時および運転再開時について、それぞれ説明する。
【００６１】
（６−１−１）起動時の冷房運転の制御
起動時の冷房運転では、図４のフローチャートに示すように制御が行われる。
【００６２】
ステップＳ１０では、メインコントローラ２０が、コントロールインターフェイス１０においてユーザからの起動の入力を受け付けたか否かを判断する。起動の入力を受け付け無い場合には、起動の入力を受け付けるまで待機する。起動の入力を受け付けた場合には、ステップＳ１１に移行する。
【００６３】
ステップＳ１１では、起動時から室内温度センサ６２の検知温度が設定温度に達するまで（サーモオフするまで）の間、室外ユニットコントローラ７９が圧縮機７１および室外ファンモータ７４ａを駆動させ、電動膨張弁７５の開度制御を行いつつ、メインコントローラ２０が共通ファンモータ４１ａを駆動させる。
【００６４】
ステップＳ１２では、メインコントローラ２０が、コントロールインターフェイス１０においてユーザからの停止の入力を受け付けたか否かを判断する。停止の入力を受け付けて無い場合には、ステップＳ１３に移行する。停止の入力を受け付けた場合には、ステップＳ１５に移行する。
【００６５】
ステップＳ１３では、メインコントローラ２０が、室内温度センサ６２の検知温度が設定温度に達しているか否かを判断する。ここで、設定温度に達していた場合にはステップＳ１４に移行し、達していない場合にはステップＳ１２に戻る。
【００６６】
ステップＳ１４では、室内温度センサ６２の検知温度が設定温度に達する（サーモオフする）ことで、室外ユニットコントローラ７９が圧縮機７１および室外ファンモータ７４ａを一時的に停止させ、メインコントローラ２０が共通ファンモータ４１ａを一時的に停止させる（すなわち、室内温度センサ６２の検知温度が設定温度よりも所定値だけ高い温度を検知して（運転再開条件を満たして）ファンユニット４０およびヒートポンプユニット６の駆動を再開させる前の段階まで、停止状態を維持する。）。
【００６７】
ステップＳ１５では、室外ユニットコントローラ７９がヒートポンプユニット６の駆動を完全停止させ、メインコントローラ２０が共通ファンモータ４１ａを完全停止させる。
【００６８】
（６−１−２）運転再開時の冷房運転の制御
室内温度センサ６２の検知温度が設定温度よりも所定値だけ高い温度を検知した場合に（運転再開条件を満たした場合に）、図５のフローチャートに示すように、運転再開時の冷房運転を行う。
【００６９】
運転再開時の冷房運転では、以下のように、冷房運転の起動時と同様の制御が行われる。ステップＳ２０では、メインコントローラ２０が、室内温度センサ６２の検知温度が設定温度よりも所定値だけ高い温度を検知したか否か（運転再開条件を満たしたか否か）を判断する。ここで、運転再開条件を満たしていた場合には、ステップＳ２１に移行する。
【００７０】
ステップＳ２１では、室外ユニットコントローラ７９が圧縮機７１および室外ファンモータ７４ａを再び駆動させ、電動膨張弁７５の開度制御を行いつつ、メインコントローラ２０が共通ファンモータ４１ａを再び駆動させる。
【００７１】
ステップＳ２２では、メインコントローラ２０が、コントロールインターフェイス１０においてユーザからの停止の入力を受け付けたか否かを判断する。停止の入力を受け付け無い場合には、ステップＳ２３に移行する。停止の入力を受け付けた場合には、ステップＳ２５に移行する。
【００７２】
ステップＳ２３では、メインコントローラ２０が、室内温度センサ６２の検知温度が設定温度に達しているか否かを判断する。ここで、設定温度に達していた場合にはステップＳ２４に移行し、達していない場合にはステップＳ２２に戻る。
【００７３】
ステップＳ２４では、室内温度センサ６２の検知温度が設定温度に達する（サーモオフする）ことで、室外ユニットコントローラ７９が圧縮機７１および室外ファンモータ７４ａを一時的に停止させ、メインコントローラ２０が共通ファンモータ４１ａを一時的に停止させ、ステップＳ２０に戻って繰り返す。ステップＳ２５では、室外ユニットコントローラ７９がヒートポンプユニット６の駆動を完全停止させ、メインコントローラ２０が共通ファンモータ４１ａを完全停止させる。
【００７４】
（６−２）暖房運転の制御
空調システム１００では、暖房運転時は、ガスファーネスユニット５０とヒートポンプユニット６のいずれか一方を用いて温かい空気を作り、ファンユニット４０の共通ファン４１を駆動させること第１〜第４部屋２ａ〜２ｄに対して温風を供給する。
【００７５】
ここで、ヒートポンプユニット６を効率良く運転させることが困難であるかもしくは能力を十分に発揮させることが困難な程度に外気温度が極低温になった場合や暖房負荷が大き場合には、ヒートポンプユニット６が停止し、ガスファーネスユニット５０のみが駆動するガスファーネス暖房運転が行われる。他方、ヒートポンプユニット６を効率良く運転させることが可能であり能力を十分に発揮させることも可能な外気温度の場合や暖房負荷が小さい場合には、ガスファーネスユニット５０が停止し、ヒートポンプユニット６のみが駆動するヒートポンプ暖房運転が行われる。この極低温、すなわち、ヒートポンプユニット６を効率良く運転させることが困難であるかもしくは能力を十分に発揮させることが困難な程度に低い外気温度は、高基準温度Ｔ１として予め定められて基準値メモリ２０ａに格納されている。ここで、この極低温（高基準温度Ｔ１）よりもさらに低温ではあるが、ガスファーネスユニット５０を運転させる場合と比べると、より効率的にヒートポンプユニット６を運転させることが可能である程度に暖房負荷が小さい場合が存在する。このように暖房負荷が小さい場合にヒートポンプユニット６の運転を優先させる基準となる温度は、上記の高基準温度Ｔ１よりも低い温度である低基準温度Ｔ２として予め定められて基準値メモリ２０ａに格納されている。なお、ヒートポンプユニット６が暖房運転を行う場合は、四路切換弁７２が暖房運転状態に切り換えられた状態で駆動される。
【００７６】
ここで、ガスファーネス暖房運転時には、燃料調節弁５４およびファーネスファンモータ５６ａは、室内温度センサ６２の検知温度に基づいて、室内温度センサ６２の検知温度が設定温度に近づくように、メインコントローラ２０およびガスファーネスコントローラ５１によって制御される。
【００７７】
また、ヒートポンプ暖房運転時には、圧縮機７１、室外ファンモータ７４ａ、電動膨張弁７５および共通ファンモータ４１ａは、室内温度センサ６２の検知温度に基づいて、室内温度センサ６２の検知温度が設定温度に近づくように、メインコントローラ２０および室外ユニットコントローラ７９によって制御される。
【００７８】
なお、空調システム１００は、冷房運転時と同様に、コントロールインターフェイス１０において、ユーザからの起動の入力を受け付けることで起動し、ユーザからの停止の入力を受け付けることで完全停止する（すなわち、室内温度センサ６２の検知温度が設定温度になっていない場合であっても、その関係に関わらず、ファンユニット４０、ヒートポンプユニット６、ガスファーネスユニット５０の全てが駆動していない状態が維持されるようにする。）。
【００７９】
以下、暖房運転の制御の起動時および運転再開時について、それぞれ説明する。
【００８０】
（６−２−１）起動時の暖房運転の制御
起動時の暖房運転では、図６のフローチャートに示すように制御が行われる。
【００８１】
ステップＳ３０では、メインコントローラ２０が、コントロールインターフェイス１０においてユーザからの起動の入力を受け付けたか否かを判断する。起動の入力を受け付け無い場合には、起動の入力を受け付けるまで待機する。起動の入力を受け付けた場合には、ステップＳ３１に移行する。
【００８２】
ステップＳ３１では、メインコントローラ２０が、室外温度センサ７８が検知する外気温度が、基準値メモリ２０ａに格納されている高基準温度Ｔ１以上であるか否かを判断する。ここで、外気温度が高基準温度Ｔ１以上であると判断された場合には、ステップＳ３２に移行し、外気温度が高基準温度Ｔ１以上ではないと判断された場合には、ステップＳ３３に移行する。なお、起動時の暖房運転では、暖房負荷が大きいものと推定されるため、極低温より低い外気温度での暖房負荷が小さい場合のヒートポンプユニット６の運転は行われない。
【００８３】
ステップＳ３２では、メインコントローラ２０が、外気温度が極低温より低い温度ではなくヒートポンプユニット６を駆動させるほうが効率がよい状況であると判断し、ガスファーネスユニット５０を駆動させるのではなく、ヒートポンプユニット６を駆動させるようにして、ヒートポンプ暖房運転を行う。ヒートポンプ暖房運転では、室内温度が設定温度になるように、室外ユニットコントローラ７９が、圧縮機７１および室外ファンモータ７４ａを駆動させ、電動膨張弁７５の開度制御を行いつつ、メインコントローラ２０が、共通ファンモータ４１ａを駆動させる。その後、ステップＳ３４に移行する。
【００８４】
ステップＳ３３では、メインコントローラ２０が、外気温度が極低温より低い温度であるためヒートポンプユニット６を駆動させることなくガスファーネスユニット５０を駆動させて暖房能力を確保したほうよい状況であると判断し、ヒートポンプユニット６を駆動させるのではなく、ガスファーネスユニット５０を駆動させるようにして、ガスファーネス暖房運転を行う。ガスファーネス暖房運転では、ガスファーネスコントローラ５１が、室内温度が設定温度になるように、ファーネスファンモータ５６ａを駆動させつつ燃料調節弁５４の開度制御を行いつつ、メインコントローラ２０が、共通ファンモータ４１ａを駆動させる。その後、ステップＳ３４に移行する。
【００８５】
ステップＳ３４では、メインコントローラ２０が、コントロールインターフェイス１０においてユーザからの停止の入力を受け付けたか否かを判断する。停止の入力を受け付けて無い場合には、ステップＳ３５に移行する。停止の入力を受け付けた場合には、ステップＳ３７に移行する。
【００８６】
ステップＳ３５では、メインコントローラ２０が、室内温度センサ６２の検知温度が設定温度に達しているか否かを判断する。ここで、設定温度に達していた場合には、その時点で行われている暖房運転の種類（直近種類情報）、および、ステップＳ３２でヒートポンプ暖房運転を開始してから初めて設定温度に達するまでに要した時間長さ（推移情報の一部としてのサーモオン時間）もしくはステップＳ３３でガスファーネス暖房運転を開始してから初めて設定温度に達するまでに要した時間長さ（推移情報の一部としてのサーモオン時間）をメインコントローラ２０の履歴メモリ２０ｂに格納して、ステップＳ３６に移行する。設定温度に達していない場合には、ステップＳ３４に戻る。
【００８７】
ステップＳ３６では、ヒートポンプ暖房運転が行われていた場合には、室内温度センサ６２の検知温度が設定温度に達する（サーモオフする）ことで、室外ユニットコントローラ７９が圧縮機７１および室外ファンモータ７４ａを一時的に停止させ、メインコントローラ２０が共通ファンモータ４１ａを一時的に停止させる（すなわち、室内温度センサ６２の検知温度が設定温度よりも所定値だけ低い温度を検知する（運転再開条件を満たす）まで、停止状態を維持する。また、ガスファーネス暖房運転が行われていた場合には、室内温度センサ６２の検知温度が設定温度に達する（サーモオフする）ことで、ガスファーネスコントローラ５１がファーネスファンモータ５６ａを一時的に停止させ、メインコントローラ２０が共通ファンモータ４１ａを一時的に停止させる（すなわち、室内温度センサ６２の検知温度が設定温度よりも所定値だけ低い温度を検知する（運転再開条件を満たす）まで、停止状態を維持する。）。
【００８８】
ステップＳ３７では、ヒートポンプ暖房運転が行われていた場合には、室外ユニットコントローラ７９がヒートポンプユニット６の駆動を完全停止させ、メインコントローラ２０が共通ファンモータ４１ａを完全停止させる。また、ガスファーネス暖房運転が行われていた場合には、ガスファーネスコントローラ５１がガスファーネスユニット５０の駆動を完全停止させ、メインコントローラ２０が共通ファンモータ４１ａを完全停止させる。
【００８９】
（６−２―２）運転再開時の暖房運転の制御
運転再開時の暖房運転では、図７のフローチャートに示すように制御が行われる。
【００９０】
ステップＳ４０では、起動時の暖房運転が終了したことで、徐々に第１空間２ａの温度が下がり、室内温度センサ６２が検知する室内温度が、設定温度よりも所定値（冷房時とは値が異なっていてもよい）だけ温度が低下しているか否かをメインコントローラ２０が判断する。ここで、室内温度が低下していたと判断された場合に、ステップＳ４１に移行する。なお、この時点でガスファーネス暖房運転が行われていた場合には、メインコントローラ２０は、ガスファーネス暖房運転時のデューティー比を履歴メモリ２０ｂに格納する。ガスファーネス暖房運転時のデューティー比は、ガスファーネス暖房運転の開始から初めて設定温度に到達するまでに要した時間長さを、当該ガスファーネス暖房運転の開始から次のガスファーネス暖房運転の開始もしくはヒートポンプ暖房運転の開始までの時間長さで除して得られる比の値のことをいう。
【００９１】
ステップＳ４１では、メインコントローラ２０が、履歴メモリ２０ｂに格納されている直近種類情報に基づいて、前回の設定温度に到達させた時点での運転が、ヒートポンプ暖房運転であったかガスファーネス暖房運転であったかを判断する。ここで、前回の運転がヒートポンプ暖房運転であった場合には、ステップＳ４２に移行する。前回の運転がヒートポンプ暖房運転ではなかった場合には、ステップＳ４３に移行する。
【００９２】
ステップＳ４２では、メインコントローラ２０が、履歴メモリ２０ｂに格納されている推移情報に基づいて、現時点で予想される将来の暖房負荷（暖房負荷予想値）を求める。そして、メインコントローラ２０は、求めた暖房負荷予想値が予め定めた暖房負荷基準値よりも小さいか否かを判断する。ここで、暖房負荷予想値が暖房負荷基準値よりも小さい場合には、ステップＳ４５に移行し、小さくない場合には、ステップＳ４６に移行する。ここで、推移情報は、履歴メモリ２０ｂに格納されている最近の連続する複数回分（本実施形態では、例えば、３回分）のサーモオン時間の変化を示す情報である。この推移情報には、直近のサーモオン時間の情報および直近以外の過去の連続した複数回分のサーモオン時間の情報も含まれている。メインコントローラ２０は、推移情報に基づいて、サーモオン時間が長く推移してきていることを把握すると現時点で予想される将来の暖房負荷（暖房負荷予想値）は大きいと予想し、サーモオン時間が短く推移してきていることを把握すると現時点で予想される将来の暖房負荷（暖房負荷予想値）が小さいと予想する。また、暖房負荷基準値は、ヒートポンプ暖房運転が行われる場合とガスファーネス暖房運転が行われる場合とのいずれが効率的あるか判断するための基準として、予め基準値メモリ２０ａに格納されている。具体的には、暖房負荷基準値は、暖房能力が大きいガスファーネス暖房運転を行ってしまうと発停頻度が高くなり過ぎるためにヒートポンプ暖房運転を行うほうが好ましいと判断する際の基準とすることができる。
【００９３】
ステップＳ４３では、メインコントローラ２０が、室外温度センサ７８が検知する外気温度が高基準温度Ｔ１以上であるか否かを判断する。この高基準温度Ｔ１は、上記起動時の暖房運転の高基準温度と同様である。ここで、外気温度が高基準温度Ｔ１以上であると判断された場合には、ステップＳ４５に移行し、外気温度が高基準温度Ｔ１以上ではないと判断された場合には、ステップＳ４４に移行する。
【００９４】
ステップＳ４４では、メインコントローラ２０が、室外温度センサ７８が検知する外気温度が低基準温度Ｔ２以上であって、かつ、直近のガスファーネス暖房運転時のデューティー比がデューティー基準値よりも小さいか否かを判断する。ここで、低基準温度Ｔ２は、高基準温度Ｔ１よりも低い温度であり、暖房負荷が小さい場合にはガスファーネス暖房運転よりもヒートポンプ暖房運転の方が効率がよくなることを示す判断基準温度である。また、デューティー基準値は、これよりも値が大きい場合には暖房負荷が大きい状況であるためヒートポンプ暖房運転よりもガスファーネス暖房運転の方が望ましいと判断するための基準となる値である。すなわち、直近のガスファーネス暖房運転時のデューティー比が大きいということは、ガスファーネス暖房運転もしくはヒートポンプ暖房運転の開始から次の開始まで時間間隔が相対的に短く、暖房運転が行われている時間が相対的に長いということになるため、暖房運転が大きい状況であると推測することができ、ガスファーネス暖房運転を維持するように制御することが可能になる。そして、外気温度が低基準温度Ｔ２以上であって、かつ、直近のガスファーネス暖房運転時のデューティー比がデューティー基準値よりも小さい場合には、ステップＳ４５に移行し、小さくない場合には、ステップＳ４６に移行する。
【００９５】
ステップＳ４５では、メインコントローラ２０が、外気温度が高基準温度Ｔ１以上であるかもしくは外気温度が低基準温度Ｔ２以上であって暖房負荷が小さいためヒートポンプユニット６を駆動させるほうが効率がよい状況であると判断し、ガスファーネスユニット５０を駆動させるのではなく、ヒートポンプユニット６を駆動させるようにして、ヒートポンプ暖房運転を行う。ヒートポンプ暖房運転では、室内温度が設定温度になるように、室外ユニットコントローラ７９が、圧縮機７１および室外ファンモータ７４ａを駆動させ、電動膨張弁７５の開度制御を行いつつ、メインコントローラ２０が、共通ファンモータ４１ａを駆動させる。その後、ステップＳ４７に移行する。
【００９６】
ステップＳ４６では、メインコントローラ２０が、外気温度が低基準温度Ｔ２より低いかもしくは暖房負荷が大きいためヒートポンプユニット６を駆動させることなくガスファーネスユニット５０を駆動させて暖房能力を確保したほうよい状況であると判断し、ヒートポンプユニット６を駆動させるのではなく、ガスファーネスユニット５０を駆動させるようにして、ガスファーネス暖房運転を行う。ガスファーネス暖房運転では、ガスファーネスコントローラ５１が、室内温度が設定温度になるように、ファーネスファンモータ５６ａを駆動させつつ燃料調節弁５４の開度制御を行いつつ、メインコントローラ２０が、共通ファンモータ４１ａを駆動させる。その後、ステップＳ４７に移行する。
【００９７】
ステップＳ４７では、メインコントローラ２０が、コントロールインターフェイス１０においてユーザからの停止の入力を受け付けたか否かを判断する。停止の入力を受け付けて無い場合には、ステップ４８に移行する。停止の入力を受け付けた場合には、ステップＳ４９に移行する。
【００９８】
ステップＳ４８では、メインコントローラ２０が、室内温度センサ６２の検知温度が設定温度に達しているか否かを判断する。ここで、設定温度に達していた場合には、その時点で行われている暖房運転の種類（直近種類情報）をメインコントローラ２０の履歴メモリ２０ｂに格納（上書き）し、ステップＳ４５でヒートポンプ暖房運転を開始してから初めて設定温度に達するまでに要した時間長さ（推移情報の一部としてのサーモオン時間）もしくはステップＳ４６でガスファーネス暖房運転を開始してから初めて設定温度に達するまでに要した時間長さ（推移情報の一部としてのサーモオン時間）をメインコントローラ２０の履歴メモリ２０ｂに格納して、ステップＳ５０に移行する。設定温度に達していない場合には、ステップＳ４７に戻る。
【００９９】
ステップＳ５０では、ヒートポンプ暖房運転が行われていた場合には、室内温度センサ６２の検知温度が設定温度に達する（サーモオフする）ことで、室外ユニットコントローラ７９が圧縮機７１および室外ファンモータ７４ａを一時的に停止させ、メインコントローラ２０が共通ファンモータ４１ａを一時的に停止させる（すなわち、室内温度センサ６２の検知温度が設定温度よりも所定値だけ低い温度を検知する（運転再開条件を満たす）まで、停止状態を維持する。また、ガスファーネス暖房運転が行われていた場合には、室内温度センサ６２の検知温度が設定温度に達する（サーモオフする）ことで、ガスファーネスコントローラ５１がファーネスファンモータ５６ａを一時的に停止させ、メインコントローラ２０が共通ファンモータ４１ａを一時的に停止させる（すなわち、室内温度センサ６２の検知温度が設定温度よりも所定値だけ低い温度を検知する（運転再開条件を満たす）まで、停止状態を維持する。）。
【０１００】
ステップＳ５０では、ヒートポンプ暖房運転が行われていた場合には、室外ユニットコントローラ７９がヒートポンプユニット６の駆動を完全停止させ、メインコントローラ２０が共通ファンモータ４１ａを完全停止させる。また、ガスファーネス暖房運転が行われていた場合には、ガスファーネスコントローラ５１がガスファーネスユニット５０の駆動を完全停止させ、メインコントローラ２０が共通ファンモータ４１ａを完全停止させる。その後、ステップＳ４０に戻り、処理を繰り返す。
【０１０１】
（７）本実施形態の特徴
（７−１）
本実施形態に係る空調システム１００では、外気温が極低温であったり暖房負荷が大きな状況に対応できるガスファーネスユニット５０と、運転効率の高いヒートポンプユニット６の両方を選択的に利用することができるため、外気温が極低温であったり暖房負荷が大きな状況であっても負荷処理を行うことができ、外気温度が極低温でなかったり暖房負荷が小さい場合には効率のよい運転を行うことが可能になる。
【０１０２】
そして、本実施形態に係る空調システム１００では、冷房運転時については起動時と運転再開時の処理が概ね同一であるが、暖房運転時は、起動時の暖房運転の制御と、運転再開時の暖房運転の制御とが異なるようにして設けられている。そして、暖房運転の運転再開時には、過去の運転状況に基づいて運転再開時に駆動させる機器を選択している。このため、運転再開時の当初から、現在の暖房負荷を処理しつつ、過去の履歴に基づいてできるだけ消費エネルギーを小さく抑えて成績係数（ＣＯＰ）を向上させる運転を行うことが可能になっている。例えば、室外温度が極低温になっている場合であっても、低基準温度Ｔ２以上の場合であって、暖房負荷が小さい場合には、できるだけ運転効率の高い側であるヒートポンプ暖房運転を行うことで、成績係数を高めることができている。
【０１０３】
（７−２）
また、本実施形態に係る空調システム１００では、室外温度が極低温になっている場合であっても、低基準温度Ｔ２以上の場合であって暖房負荷が小さい場合は、ガスファーネス暖房運転ではなく、運転効率のよいヒートポンプ暖房運転を行うことで、暖房運転の発停頻度を抑えることが可能になっている。
【０１０４】
（７−３）
さらに、本実施形態に係る空調システム１００では、最近のサーモオフ時間の履歴情報である推移情報に基づいて、運転再開条件を満たした時点から将来の暖房負荷を予測することができている。そして、本実施形態の空調システム１００では、この予想された暖房負荷をより少ない消費エネルギーで処理することが可能になるように運転再開時に運転させる機器を選択することができている。
【０１０５】
（７−４）
また、本実施形態に係る空調システム１００では、ガスファーネスユニット５０が、燃焼ガスのガスバーナ５７ａに対する供給量を調節する燃料調節弁５４を有している。このため、ガスファーネス暖房運転が行われている状態では、大きな暖房負荷を処理しつつ、暖房能力を詳細に調節することが可能になっている。
【０１０６】
そして、本実施形態に係る空調システム１００では、ヒートポンプユニット６が、インバータ制御によって能力を調節できる圧縮機７１を有している。このため、ヒートポンプ暖房運転が行われている状態では、効率の良い運転を行いつつ、暖房能力を詳細に調節することが可能になっている。
【０１０７】
（７−５）
なお、本実施形態に係る空調システム１００では、ヒートポンプユニット６の利用側熱交換器６１を通過させる空気の量と、ガスファーネスユニット５０のファーネス熱交換器５８を通過させる空気の量と、を１つの共通ファン４１によって調節することが可能になっている。このため、ヒートポンプユニット６のためのファンとガスファーネスユニット５０のためのファンを別個に設ける必要が無く、装置をコンパクト化させることが可能になっている。
【０１０８】
（８）その他の実施形態
（８−１）
上記実施形態では、下から、ファンユニット４０、ガスファーネスユニット５０、利用ユニット６０の順に配置された場合について説明した。
【０１０９】
しかし、これらの要素の配置順は、特に限定されない。例えば、ファンユニットは、利用ユニットやガスファーネスユニットの下流側に配置されていてもよいし、利用ユニットとガスファーネスユニットの間に配置されていてもよい。また、利用ユニットとガスファーネスユニットの配置は、空気流れ方向における配置順序が上記実施形態と異なっていてもよく、ガスファーネスユニットが利用ユニットの下流側に配置されていてもよい。
【０１１０】
また、例えば、利用ユニットとガスファーネスユニットが空気流れ方向に並んで設けられること無く、流路の切り換え機構等を備えさせることで、利用ユニットとガスファーネスユニットとのいずれか一方側にのみ空気を通過させるように構成されていてもよい。
【０１１１】
（８−２）
上記実施形態では、推移情報が、サーモオン時間の履歴によって構成されている場合について説明した。
【０１１２】
しかし、実施形態としては、これに限られず、例えば、推移情報のうちヒートポンプ暖房運転については、サーモオフ時間の履歴情報だけではなく、その際のインバータ制御されている圧縮機７１の駆動周波数の情報を加味させてもよい。すなわち、サーモオン時間が同じ場合であっても、サーモオン時の圧縮機７１の駆動周波数が大きいほど暖房負荷が大きくなっていると評価されるように履歴情報を扱ってもよい。
【０１１３】
（８−３）
上記実施形態では、運転再開時のヒートポンプ暖房運転とガスファーネス暖房運転との選択を最近のサーモオン時間の履歴である推移情報に基づいて判断する場合について説明した。
【０１１４】
しかし、これに限られず、例えば、メインコントローラ２０の履歴メモリ２０ｂには、直近のヒートポンプ暖房運転やガスファーネス暖房運転の情報以外の情報として、直近よりも過去のヒートポンプ暖房運転やガスファーネス暖房運転の周期的な運転情報を格納させていてもよい。周期的な運転情報としては、特に限定されないが、例えば、周期を、「日」単位、「週」単位、「月」単位、「季節」単位、「年」単位等の少なくともいずれかとすることができる。
【０１１５】
メインコントローラ２０は、この履歴メモリ２０ｂに格納されている周期的な運転情報に基づいて、運転再開時の暖房負荷を予測し、当該予測に基づいて駆動させる機器を選択するようにしてもよい。例えば、周期を「日」単位とした場合には、過去数日の一日のうちの暖房負荷の時間帯平均を履歴によって求め、当該暖房負荷の時間帯平均に応じるように運転再開時に駆動させる機器を選択するようにしてもよい。また、例えば、周期を「週」単位とした場合には、過去数週間の特定の曜日の暖房負荷の時間帯平均を履歴によって求め、運転再開時の曜日における暖房負荷の時間帯平均に応じるように運転再開時に駆動させる機器を選択するようにしてもよい。
【０１１６】
（８−４）
上記実施形態では、運転再開時に開始する暖房運転の種類を推移情報に基づいて選択する場合について説明した。
【０１１７】
しかし、これに限られず、例えば、最近の運転履歴の情報と、過去の運転履歴の情報を比較し、最近の運転履歴の情報に類似する運転履歴が過去に存在した場合には、当該過去の運転履歴に基づいて現在の運転再開時における暖房負荷を予想して、運転再開時に選択する暖房運転の種類を選択するようにしてもよい。例えば、最近の数時間のヒートポンプ暖房運転の運転履歴に対して、ヒートポンプ暖房運転が行われている時間帯の誤差が最も小さい運転履歴を特定し、当該運転履歴に現在の運転再開時における暖房負荷を予想して、運転再開時に選択する暖房運転の種類を選択するようにしてもよい。また、運転履歴だけではなく、さらに、外気温度の履歴項目を加味して、最も類似する運転履歴を特定するようにしてもよい。
【０１１８】
（８−５）
上記実施形態では直近の推移情報に基づいて運転再開時に開始する暖房運転の種類を選択する場合を説明し、上記その他の実施形態（８−３）では直近以外の周期的な運転情報に基づいて運転再開時に開始する暖房運転の種類を選択する場合を説明した。
【０１１９】
これに対して、例えば、直近の推移情報と直近以外の周期的な運転情報に対して重み付けする等して、直近の推移情報と直近以外の周期的な運転情報の両方を用いて運転再開時に開始する暖房運転の種類を選択してもよい。
【産業上の利用可能性】
【０１２０】
本発明に係る空調システムは、ヒートポンプとガスファーネスのいずれかを用いて暖房負荷の処理を行いつつ運転効率を高める場合に特に有用である。
【符号の説明】
【０１２１】
１  建物
２ａ〜２ｄ  第１〜第４部屋
２ｅ  地下室
６  ヒートポンプユニット（ヒートポンプ）
２０  メインコントローラ（制御部）
３０  ヒートポンプガスファーネス一体ユニット
３０ａ  筐体
４０  ファンユニット
４１  共通ファン（送風機）
４１ａ  共通ファンモータ
５０  ガスファーネスユニット（ガスファーネス）
５１  ガスファーネスコントローラ
５３  燃焼ガス供給管
５５  空気供給管
５６  ファーネスファン
５７  燃焼室
５７ａ  ガスバーナ
５８  ファーネス熱交換器（加熱器）
６０  利用ユニット
６１  利用側熱交換器（放熱器）
６２  室内温度センサ
７０  室外ユニット
７１  圧縮機
７２  四路切換弁
７３  室外熱交換器
７４  室外ファン
７４ａ  室外ファンモータ
７５  電動膨張弁
７６  液冷媒連絡配管
７７  ガス冷媒連絡配管
７８  室外温度センサ
７９  室外ユニットコントローラ
１００  空調システム
【先行技術文献】
【特許文献】
【０１２２】
【特許文献１】特開昭６４−５４１６０号公報
【図１】
2015145765.tif 000003
【図２】
2015145765.tif 000004
【図３】
2015145765.tif 000005
【図４】
2015145765.tif 000006
【図５】
2015145765.tif 000007
【図６】
2015145765.tif 000008
【図７】
2015145765.tif 000009